(57)【要約】【課題】路面の水深を連続的に測定することが可能な水深測定装置を提供する。【解決手段】測定面が水に接触すると、光の透過度が変化して色が変化する測定体により水深を測定する水深測定装置であり、外周面１ａ，２ａを基準面とした一対の基準円盤１，２と、外周面３ａ，４ａ，５ａを水深の測定面にし、径が段階的に異なる複数の円盤状測定体３，４，５とを有している。円盤状測定体３，４，５は、基準円盤１，２に対して同軸で固定され、基準円盤１，２の回転に伴って回転可能になっている。【選択図】図１
2006029803.tif 000002
【特許請求の範囲】
【請求項１】
測定面が水に接触すると、光の透過度が変化して色が変化する測定体により水深を測定する水深測定装置において、外周面を基準面とした一対の基準円盤と、外周面を水深の測定面にし、径が段階的に異なる複数の円盤状測定体とを有し、該円盤状測定体を基準円盤に対して同軸で固定した水深測定装置。
【請求項２】
複数の円盤状測定体を所定の間隔をおいて配置した請求項１に記載の水深測定装置。
【請求項３】
各円盤状測定体間に水の波紋を遮る仕切り円盤を配置した請求項２に記載の水深測定装置。
【請求項４】
円盤状測定体の外周面に周方向に沿って所定の間隔で切欠き凹部を設けた請求項１，２または３に記載の水深測定装置。
【請求項５】
測定面が水に接触すると、光の透過度が変化して色が変化する測定体により水深を測定する水深測定装置において、外周面を基準面とした一対の基準円盤と、外周面を水深の測定面にし、径が連続的に変化する円錐台状測定体とを有し、該円錐台状測定体を基準円盤に対して同軸で固定した水深測定装置。
【請求項６】
円錐台状測定体の外周面には、軸方向に所定の間隔で環状のスリットを設けた請求項５に記載の水深測定装置。
【請求項７】
測定体を一対の基準円盤間に配置した請求項１乃至６のいずれかに記載の水深測定装置。
【請求項８】
測定体が測定面を粗面にした透明体からなる請求項１乃至７のいずれかに記載の水深測定装置。
【請求項９】
測定体の色の変化を識別可能な色識別手段を備える請求項１乃至８のいずれかに記載の水深測定装置。
【発明の詳細な説明】
【技術分野】
【０００１】
本発明は、路面の水深を測定する水深測定装置に関し、更に詳しくは、路面の水深を連続的に測定することできる水深測定装置に関する。
【背景技術】
【０００２】
従来、路面上の水膜厚さ（水深）を測定する装置として、測定体の測定面が水に接触すると、光の透過度が変化して色が変化することにより水深を測定するようにした水深測定装置が提案されている（例えば、特許文献１参照）。粗面にした下端面を水深を測定する測定面に形成し、該測定面の高さを段階的に変えた複数の透明な測定体の色の変化の有無を調べることにより、水深を測定できるようにしている。
【０００３】
しかしながら、上述した水深測定装置はピンポイントでの測定しかできず、また路面には測定精度に影響する凹凸や傾斜があるため、路面の正確な水深を得るには測定ポイントで何度も位置を変えて水深を測定する必要がある。その測定作業は、測定の都度、測定面の粗面に入り込んだ水を拭き取っては測定を繰り返す煩雑な作業となるため、その改善が求められていた。
【特許文献１】特開平７−１７４５０４号公報
【発明の開示】
【発明が解決しようとする課題】
【０００４】
本発明の目的は、路面の水深を連続的に測定することが可能な水深測定装置を提供することにある。
【課題を解決するための手段】
【０００５】
上記目的を達成する本発明の水深測定装置は、測定面が水に接触すると、光の透過度が変化して色が変化する測定体により水深を測定する水深測定装置において、外周面を基準面とした一対の基準円盤と、外周面を水深の測定面にし、径が段階的に異なる複数の円盤状測定体とを有し、該円盤状測定体を基準円盤に対して同軸で固定したことを特徴とする。
【０００６】
本発明の他の水深測定装置は、測定面が水に接触すると、光の透過度が変化して色が変化する測定体により水深を測定する水深測定装置において、外周面を基準面とした一対の基準円盤と、外周面を水深の測定面にし、径が連続的に変化する円錐台状測定体とを有し、該円錐台状測定体を基準円盤に対して同軸で固定したことを特徴とする。
【発明の効果】
【０００７】
上述した本発明の水深測定装置によれば、一対の基準円盤と、径が段階的に異なる複数の円盤状測定体、あるいは径が連続的に変化する円錐台状測定体とを同軸に配置して構成したので、水深測定装置を回転させながら路面の水深を連続的に測定することが可能になるため、水深の測定作業を容易に行うことができる。
【発明を実施するための最良の形態】
【０００８】
以下、本発明の実施の形態について添付の図面を参照しながら詳細に説明する。
【０００９】
図１は、本発明の水深測定装置の一実施形態を示し、この水深測定装置は、立設した左右一対の基準円盤１，２と、その基準円盤１，２間に立設して配置した複数の円盤状測定体３，４，５を備えている。
【００１０】
基準円盤１，２は、同じ径の円盤から構成され、外周面１ａ，２ａが測定の基準面（０）になっている。
【００１１】
円盤状測定体３，４，５は、基準円盤１，２より径が小さく、かつ径が段階的に小さく異なるようにした透明体から構成され、粗面加工された外周面３ａ，４ａ，５ａが水深の測定面になっている。
【００１２】
図では例示として３個の円盤状測定体３，４，５を示したが、通常、基準円盤１，２の基準面から１mm刻みで１０数mm程度まで径を異ならせた１０数個の円盤状測定体が取り付けられ、各円盤状測定体の測定面ごとに測定値が決められている。
【００１３】
円盤状測定体３，４，５を構成する透明体に使用する材料としては、透明材料であればいずれのものを用いてもよく、例えば、アクリル樹脂などの樹脂材料を好ましく使用することができる。
【００１４】
円盤状測定体３，４，５は、隣接する同士を互いに接着させた状態で基準円盤１，２にに対して同軸で固定され、基準円盤１，２を路面６上を回転させると、それに伴って回転可能になっている。円盤状測定体３，４，５の粗面加工した外周面（測定面）３ａ，４ａ，５ａ）が水に接触すると、光の透過度が変化し、上方から見た透明な円盤状測定体３，４，５が暗く見えるようになり、光の透過度の変化により色が暗く変化することで、水深を測定できるようにしている。
【００１５】
図１に示す例では、路面６上の水膜７に円盤状測定体３，４の測定面が接触しているので、上方から見た円盤状測定体３，４が暗く見え、径の小さい円盤状測定体４の測定面が測定値となる。
【００１６】
上述した本発明によれば、一対の基準円盤１，２と径が段階的に異なる複数の円盤状測定体３，４，５とを同軸に配置して構成したので、図２に示すように、水深測定装置を回転（１回転）させながら路面６の水深ｈを連続的に測定することが可能になる。そのため、水深の測定作業を容易にすることができる。
【００１７】
図３は、本発明の水深測定装置の他の実施形態を示し、この水深測定装置は、上記図１の実施形態において、基準円盤１，２間に軸部材Ｘを介して円盤状測定体３，４，５を所定の間隔ａで固定したものである。このように間隔ａを設けることにより、水の表面張力により隣接する円盤状測定体の測定面に水が接触する不具合が発生するのを防止することができる。
【００１８】
図４は、本発明の水深測定装置の更に他の実施形態を示し、この水深測定装置は、図３の実施形態において、更に各円盤状測定体３，４，５間に水の波紋を遮る仕切り円盤８を配置したものである。仕切り円盤８の径は、基準円盤１，２と同じかそれ以下であり、かつ隣接する円盤状測定体の径より大きい径になっている。
【００１９】
このように仕切り円盤８を設けることにより、連続して測定する際に、水に接触する円盤状測定体が発生させる波が隣の円盤状測定体の測定面に接触する影響を防止することができる。
【００２０】
図５は、本発明の水深測定装置の更に他の実施形態を示し、この水深測定装置は、上記円盤状測定体３，４，５において、外周面３ａ，４ａ，５ａに周方向に沿って所定の間隔で切欠き凹部９を形成したものである。図示する形状に代えて、円盤状測定体３，４，５の外周面３ａ，４ａ，５ａが歯車状の形状となるように切欠き凹部９を設けてもよい。このように切欠き凹部９を設けることで、測定面の周方向に対する水の表面張力の影響を排除することができる。
【００２１】
図６は、本発明の水深測定装置の更に他の実施形態を示す。この水深測定装置は、更に円盤状測定体３，４，５の色の変化を識別可能な色識別手段１０を備えている。基準円盤１，２が枠体２０に回転自在に支持され、色識別手段１０が円盤状測定体３，４，５の上方に位置するように枠体２０に取り付けられている。色識別手段１０は、図７に示すように、円盤状測定体３，４，５の画像を読み取るフォトセンサ１１、この画像信号から測定面が水との接触により色が変化した円盤状測定体を判別する演算を行う演算ユニット１２、その結果を記録する記録ユニット１３、及び表示や印刷などを行う出力ユニット１４を備えている。
【００２２】
このように色識別手段１０を設けることにより、作業者の測定作業を軽減し、かつ作業者による読み誤りや読み取り誤差をなくして、測定精度を高めることができる。
【００２３】
図６では、図４の水深測定装置に色識別手段１０を設けた例を示したが、図１，３，５の水深測定装置に設けるようにしてもよく、また、後述する図８の水深測定装置に具備するようにしてもよい。
【００２４】
図８は、本発明の水深測定装置の更に他の実施形態を示す。この水深測定装置は、上述した円盤状測定体３，４，５に代えて、外周面１５ａを水深の測定面にし、径が連続的に変化する円錐台状測定体１５から構成したものである。一対の基準円盤１，２間に測定面を粗面にした透明体からなる円錐台状測定体１５が、基準円盤１，２と同軸で軸部材Ｘを介して固定されている。測定面には、所定の間隔で目盛１６が付され、色が変化した部分の目盛１６を読み取ることで、水深を測定できるようにしている。
【００２５】
このように円錐台状測定体１５を基準円盤１，２と同軸で配置することによっても、水深測定装置を回転させながら路面６の水深ｈを連続的に測定することができる。
【００２６】
円錐台状測定体１５の外周面１５ａには、図９に示すように、環状のスリット１７を所定の間隔で各目盛１６の位置間に位置するように設け、水の表面張力により隣接する目盛１６の測定面部分に水が接触する不具合が発生するのを防止するようにするのが好ましい。
【００２７】
本発明において、上記測定体３，４，５，１５は、測定面が水に接触すると、光の透過度が容易に変化する透明体から構成するようにしたが、測定面が水に接触すると、光の透過度が変化して色が変化するものであればよく、透明体に特に限定されない。
【図面の簡単な説明】
【００２８】
【図１】本発明の水深測定装置の一実施形態を示す正面図である。
【図２】水深測定装置により連続的に測定する状態を示す側面図である。
【図３】本発明の水深測定装置の他の実施形態を示す正面図である。
【図４】本発明の水深測定装置の更に他の実施形態を示す正面図である。
【図５】本発明の水深測定装置の更に他の実施形態を示し、図１のＭ−Ｍ矢視断面図に相当する断面図である。
【図６】本発明の水深測定装置の更に他の実施形態を示す正面図である。
【図７】色識別手段のブロック図である。
【図８】本発明の水深測定装置の更に他の実施形態を示す正面図である。
【図９】円錐台状測定体の要部拡大図である。
【符号の説明】
【００２９】
１，２  基準円盤
１ａ，２ａ  外周面
３，４，５  円盤状測定体  
３ａ，４ａ，５ａ  外周面
６  路面
７  水膜
８  仕切り円盤
９  切欠き凹部
１０  色識別手段
１５  円錐台状測定体
１５ａ  外周面
１７  スリット
ａ  間隔
ｈ  水深
【図１】
2006029803.tif 000003
【図２】
2006029803.tif 000004
【図３】
2006029803.tif 000005
【図４】
2006029803.tif 000006
【図５】
2006029803.tif 000007
【図６】
2006029803.tif 000008
【図７】
2006029803.tif 000009
【図８】
2006029803.tif 000010
【図９】
2006029803.tif 000011